(57)【要約】【課題】電位差及び／又は電圧差を有する多系統の電源を供給する電源回路或いはＬＥＤ駆動回路に於いて、かかる電源を低コストで供給する。【解決手段】  電位差及び／又は電圧差を有する多系統の電源を供給する電源回路或いはＬＥＤ駆動回路に於いて、主電源の電源回路はスイッチングレギュレータ及びフィードバックによる安定化回路を含み、該スイッチングレギュレータ中に必要なインダクタンスはトランスで構成され、従電源は該トランスの二次側から取り出されるようにする。【選択図】図１
2018042444.tif 000002
【特許請求の範囲】
【請求項１】
電位差及び／又は電圧差を有する多系統の電源を供給する電源回路であって、
主電源の電源回路はスイッチングレギュレータ及びフィードバックによる安定化回路を含み、
該スイッチングレギュレータ中に必要なインダクタンスはトランスで構成され、
従電源は該トランスの二次側から取り出されることを特徴とする、
電源回路。
【請求項２】
該従電源は、フローティング構成のアイソレーション電源となることを特徴とする、
請求項１記載の電源回路。
【請求項３】
該多系統の電源を供給する電源回路は、
主電源部が非絶縁構成であり、
従電源部はフローティング構成であることを特徴とする、
請求項２に記載の電源回路。
【請求項４】
該多系統の電源を供給する電源回路のうち、主電源部の電源回路はフィードバックによる安定化回路を含み、
該従電源部に対しても安定化の効果を及ぼすことを特徴とする、
請求項１乃至３の何れか一に記載の電源回路。
【請求項５】
該多系統の電源を供給する電源回路のうち、主電源部の基準電位は０ボルトであり、
該従電源部の基準電圧は初段の電源回路の基準電圧よりも高電位であることを特徴とする、
請求項１乃至４の何れか一に記載の電源回路。
【請求項６】
ＬＥＤを用いた照明装置に用いる駆動回路であって、
該ＬＥＤ駆動回路はＬＥＤ発光素子に供給する駆動電流を効率的に安定化させ、且つ電源供給回路を単純化して信頼性とコストを両立するものであり、
該ＬＥＤ駆動回路は少なくとも複数の安定回路が並列に接続される構成を含み、
該並列接続された部分を含む複数の安定回路からの出力を一定電流制御回路を介してＬＥＤ発光素子に供給することにより、リップルが除かれて安定した発光が得られ、且つ使用するコンデンサ容量を抑えて信頼性とコストを両立することができるＬＥＤ駆動回路に於いて、
該並列接続された部分を含む複数の安定回路は多段構成であり、
各段へ電源を供給する電源回路は電位差及び／又は電圧差を有する多系統の電源を供給する電源回路であって、
前段に用いられる主電源の電源回路はスイッチングレギュレータ及びフィードバックによる安定化回路を含み、
該スイッチングレギュレータ中に必要なインダクタンスはトランスで構成され、
後段に用いられる従電源は該トランスの二次側から取り出され、
各段に少なくとも２段階以上の基準電圧からの電位差を有する直流電源が供給される構成を為すことにより、回路全体の力率を改善するとともに部品点数を削減してコストダウンを実現することを特徴とする、
ＬＥＤを用いた照明装置に用いる駆動回路。
【請求項７】
後段に用いられる該従電源は、フローティング構成のアイソレーション電源となることを特徴とする、
請求項６に記載のＬＥＤを用いた照明装置に用いる駆動回路。
【請求項８】
該多系統の電源を供給する電源回路は、
前段に用いられる主電源部が非絶縁構成であり、
後段に用いられる従電源部はフローティング構成であることを特徴とする、
請求項７に記載の電源回路。
【請求項９】
該多系統の電源を供給する電源回路のうち、主電源部の電源回路はフィードバックによる安定化回路を含み、
後段に用いられる該従電源部に対しても安定化の効果を及ぼすことを特徴とする、
請求項６乃至８の何れか一に記載のＬＥＤを用いた照明装置に用いる駆動回路。
【請求項１０】
該多系統の電源を供給する電源回路のうち、前段に用いられる主電源部の基準電位は０ボルトであり、
後段に用いられる該従電源部の基準電圧は前段の電源回路の基準電圧よりも高電位であることを特徴とする、
請求項６乃至９の何れか一に記載のＬＥＤを用いた照明装置に用いる駆動回路。
【請求項１１】
該ＬＥＤ駆動回路は、
複数の安定回路がマトリクス状に配置接続されて構成されることを特徴とする、
請求項６乃至１０の何れか一に記載のＬＥＤを用いた照明装置に用いる駆動回路。
【請求項１２】
該ＬＥＤ駆動回路に含まれる複数の安定回路によるマトリクスは、
行列を構成する複数の安定回路が少なくとも複数行及び／又は複数列を含むものであることを特徴とする、
請求項１１記載のＬＥＤを用いた照明装置に用いる駆動回路。
【請求項１３】
該ＬＥＤ駆動回路に含まれる複数の安定回路は、
複数の安定回路が少なくともが並列に接続される構成を含み、さらに並列接続された単位及び／又は直列接続された単位が混在する構成を含むものであることを特徴とする、
請求項６乃至１２の何れか一に記載のＬＥＤを用いた照明装置に用いる駆動回路。
【請求項１４】
該ＬＥＤ駆動回路に用いられる安定回路は、
スイッチングレギュレータであることを特徴とする、
請求項６乃至１３の何れか一請求項に記載のＬＥＤを用いた照明装置に用いる駆動回路。
【請求項１５】
該ＬＥＤ駆動回路に用いられる安定回路はスイッチングレギュレータであって、
その制御方式は電圧モード、電流モード或いはヒステリシス制御の何れかであることを特徴とする、
請求項１４記載のＬＥＤを用いた照明装置に用いる駆動回路。
【請求項１６】
該ＬＥＤ駆動回路に用いられる安定回路はスイッチングレギュレータであって、
その動作方式はパルス周波数変調方式或いはパルス幅変調方式の何れかであることを特徴とする、
請求項１４に記載のＬＥＤを用いた照明装置に用いる駆動回路。
【請求項１７】
該ＬＥＤ駆動回路に用いられる安定回路はスイッチングレギュレータであって、
該スイッチングレギュレータはチョッパ型安定器を含むことを特徴とする、
請求項１４乃至１６の何れか一請求項に記載のＬＥＤを用いた照明装置に用いる駆動回路。
【請求項１８】
該ＬＥＤ駆動回路に用いられる安定回路は、
リニアレギュレータであることを特徴とする、
請求項６乃至１３の何れか一請求項に記載のＬＥＤを用いた照明装置に用いる駆動回路。
【請求項１９】
該ＬＥＤ駆動回路に用いられる一定電流制御回路は、
電流検知抵抗の両端の電圧降下が一定になるように負荷抵抗によってスイッチの動作抵抗を変えることにより一定電流を出力する、
スイッチング型一定電流制御回路であることを特徴とする、
請求項６乃至１８の何れか一請求項に記載のＬＥＤを用いた照明装置に用いる駆動回路。
【請求項２０】
該ＬＥＤ駆動回路に用いられる一定電流制御回路は、
電流検知抵抗の両端の電圧降下が一定になるようにフィードバック回路によって可変抵抗の動作抵抗を変えることにより一定電流を出力する、
リニア型一定電流制御回路であることを特徴とする、
請求項６乃至１８の何れか一請求項に記載のＬＥＤを用いた照明装置に用いる駆動回路。
【請求項２１】
該ＬＥＤ駆動回路に用いられる一定電流制御回路における抵抗値の制御は、
トランジスタにより行われることを特徴とする、
請求項２０記載のＬＥＤを用いた照明装置に用いる駆動回路。
【請求項２２】
該ＬＥＤ駆動回路に用いられる一定電流制御回路に用いられるトランジスタは、
ＦＥＴトランジスタ、バイポーラトランジスタ或いはＩＧＢＴの何れかであることを特徴とする、
請求項２１記載のＬＥＤを用いた照明装置に用いる駆動回路。
【請求項２３】
該ＬＥＤ駆動回路の複数の安定回路は、
安定回路が並列に配置接続された部分及び安定回路が直列に配置接続された部分を含んで構成されることを特徴とする、
請求項６乃至２２の何れか一請求項に記載のＬＥＤを用いた照明装置に用いる駆動回路。
【発明の詳細な説明】
【技術分野】
【０００１】  本発明は電源回路及びＬＥＤを用いた照明装置の駆動回路に関するものである。
【背景技術】
【０００２】  発光ダイオード（ＬＥＤ素子、以下単にＬＥＤとも称する）を使用した照明装置は、蛍光灯や白熱電球といった従来の照明器具に比べ、長寿命かつ低消費電力であるという特徴を有しており、環境への配慮に優れた次世代の照明機器として期待されている。【０００３】  交流電源を半波整流した場合は交流交番波形の一方の極性（例えばプラス側）の半波のみの間歇的な脈動波形となる。一方、全波整流した場合、一方の極性（例えばプラス側）に他方の極性（マイナス側）半波が折り返した連続する脈流波形となる。【０００４】  ＬＥＤには点灯のための所定の電圧（点灯電圧）及び所定の電流（点灯電流）があり、これらの条件を満たす電流・電圧を印加する必要がある。したがって、脈流波形を平滑して所定の電圧にする交流直流変換が必要である。【０００５】  一般のＬＥＤ照明装置に於いては上記の脈動波形を直流に出来るだけ近づけかつ、商用電源の休止期間においても常時点灯できるように、電力の蓄積をするコンデンサを備えるＬＥＤ駆動回路を用い、その一定した直流電圧によりＬＥＤの明滅が無く常時発光する波形にてＬＥＤ素子を駆動することが主流である。しかし、この直流化回路に於いては良好な安定性と、途切れのない発光を実現するために寿命の短い化学的な反応を利用した大容量のコンデンサを必要とするためコストアップと信頼性の低下に繋がることが問題となっていた。【０００６】  直流駆動方式は、交流を平滑直流電圧に一旦変換し、ＬＥＤを所定レベルの直流にて駆動させるものである。交流電源を直流化するために用いる交直変換回路、所謂インバータ回路でのスイッチング動作をするような電源回路は素子数も多く、回路が複雑になり、コスト高となっている。また、この場合の整流回路には電解コンデンサなどの大容量のコンデンサや変圧器（トランス）を必要とする。このような電気部品は、ＬＥＤと比べて寿命が短く、長寿命の照明手段であることを特徴とするＬＥＤとの組み合わせは好ましくない。【０００７】  ＬＥＤの駆動に関する従来技術を開示したものとして、例えば、特許文献１では、ＬＥＤの発光駆動に際して定電流駆動回路で生じる消費電力を抑制・低減し、定電流駆動回路の安定・正常な動作を実現すべく、ＬＥＤアレイと、ＬＥＤドライバＩＣと、ＤＣ−ＤＣコンバータと、分圧抵抗からなる第１のフィードバック回路と、コントローラおよび第２のフィードバック回路とを有するヘッドルーム電圧監視回路とを備え、第２のフィードバック回路は、ＬＥＤドライバＩＣの電流端子にそれぞれ得られるヘッドルーム電圧をＤＣ−ＤＣコンバータにフィードバックする形態が提案されている。【０００８】  また、複数のＬＥＤ発光素子と、これを駆動するＬＥＤ駆動回路を備え、該ＬＥＤ駆動回路はＬＥＤ発光素子に供給する駆動電流を効率的に安定化させ、且つ使用するコンデンサ容量を抑えて信頼性とコストを両立するものであり、該ＬＥＤ駆動回路は複数の安定回路が並列に接続される構成を含み、該並列接続された部分を含む複数の安定回路からの出力を一定電流制御回路を介してＬＥＤ発光素子に供給することにより、リップルが除かれて安定した発光が得られ、且つ使用するコンデンサ容量を抑えて信頼性とコストを両立す���ことができることを特徴とする、ＬＥＤを用いた照明装置及びＬＥＤを用いた照明装置の駆動回路も提案されている。
【先行技術文献】
【特許文献】
【０００９】
【特許文献１】特開２００９−２８３５４２号公報
【発明の概要】
【発明が解決しようとする課題】
【００１０】  しかしながら、複数の安定回路を含む回路構成の場合、全体の回路中で電位差及び／又は電圧差を有する多系統の電源を必要とする場合があり、これらに対して複数系統の電源回路が必要となってコストアップに繋がるという課題があった。かかる課題は、ＬＥＤを用いた照明装置の駆動回路にみではなく、広く電位差及び／又は電圧差を有する多系統の電源を供給する電源回路に存在する。
【課題を解決するための手段】
【００１１】  本発明は、電位差及び／又は電圧差を有する多系統の電源を供給する電源回路或いはＬＥＤ駆動回路に於いて、主電源の電源回路はスイッチングレギュレータ及びフィードバックによる安定化回路を含み、該スイッチングレギュレータ中に必要なインダクタンスはトランスで構成され、従電源は該トランスの二次側から取り出されるようにすることを特徴とする、電源回路である。【００１２】  また本発明は、該従電源がフローティング構成のアイソレーション電源となることを特徴とする。【００１３】  また本発明は、該多系統の電源を供給する電源回路は、主電源部が非絶縁構成であり、従電源部はフローティング構成であることを特徴とする。【００１４】  また本発明は、該多系統の電源を供給する電源回路のうち、主電源部の電源回路はフィードバックによる安定化回路を含み、該従電源部に対しても安定化の効果を及ぼすことを特徴とする。【００１５】  また本発明は、該多系統の電源を供給する電源回路のうち、主電源部の基準電位は０ボルトであり、該従電源部の基準電圧は初段の電源回路の基準電圧よりも高電位であることを特徴とする。【００１６】  また本発明は、ＬＥＤを用いた照明装置に用いる駆動回路であって、該ＬＥＤ駆動回路はＬＥＤ発光素子に供給する駆動電流を効率的に安定化させ、且つ電源供給回路を単純化して信頼性とコストを両立するものであり、該ＬＥＤ駆動回路は少なくとも複数の安定回路が並列に接続される構成を含み、該並列接続された部分を含む複数の安定回路からの出力を一定電流制御回路を介してＬＥＤ発光素子に供給することにより、リップルが除かれて安定した発光が得られ、且つ使用するコンデンサ容量を抑えて信頼性とコストを両立することができるＬＥＤ駆動回路に於いて、該並列接続された部分を含む複数の安定回路は多段構成であり、各段へ電源を供給するの電源回路は電位差及び／又は電圧差を有する多系統の電源を供給する電源回路であって、前段に用いられる主電源の電源回路はスイッチングレギュレータ及びフィードバックによる安定化回路を含み、該スイッチングレギュレータ中に必要なインダクタンスはトランスで構成され、後段に用いられる従電源は該トランスの二次側から取り出され、各段に少なくとも２段階以上の基準電圧からの電位差を有する直流電源が供給される構成を為すことにより、回路全体の力率を改善するとともに部品点数を削減してコストダウンを実現することを特徴とする、ＬＥＤを用いた照明装置に用いる駆動回路である。【００１７】  また本発明は、後段に用いられる該従電源が、フローティング構成のアイソレーション電源となることを特徴とする。【００１８】  また本発明は、該多系統の電源を供給する電源回路は前段に用いられる主電源部が非絶縁構成であり、後段に用いられる従電源部はフローティング構成であることを特徴とする。【００１９】  また本発明は、該多系統の電源を供給する電源回路のうち、主電源部の電源回路はフィードバックによる安定化回路を含み、後段に用いられる該従電源部に対しても安定化の効果を及ぼすことを特徴とする。【００２０】  また本発明は、該多系統の電源を供給する電源回路のうち、前段に用いられる主
2018042444.tif 000003
前段の電源回路の基準電圧よりも高電位であることを特徴とする。【００２１】  また本発明は、該ＬＥＤ駆動回路が、複数の安定回路がマトリクス状に配置接続されて構成されることを特徴とする。【００２２】  また本発明は、該ＬＥＤ駆動回路に含まれる複数の安定回路によるマトリクスが、行列を構成する複数の安定回路が少なくとも複数行及び／又は複数列を含むものであることを特徴とする。【００２３】  また本発明は、該ＬＥＤ駆動回路に含まれる複数の安定回路が、複数の安定回路が少なくともが並列に接続される構成を含み、さらに並列接続された単位及び／又は直列接続された単位が混在する構成を含むものであることを特徴とする。【００２４】  また本発明は、該ＬＥＤ駆動回路に用いられる安定回路が、スイッチングレギュレータであることを特徴とする。さらにまた本発明は、該ＬＥＤ駆動回路に用いられる安定回路はスイッチングレギュレータであって、その制御方式は電圧モード、電流モード或いはヒステリシス制御の何れかであることを特徴とする。また、該ＬＥＤ駆動回路に用いられる安定回路はスイッチングレギュレータであって、その動作方式はパルス周波数変調方式或いはパルス幅変調方式の何れかであることを特徴とする。また、該ＬＥＤ駆動回路に用いられる安定回路はスイッチングレギュレータであって、該スイッチングレギュレータはチョッパ型安定器を含むことを特徴とする。【００２５】  また本発明は、該ＬＥＤ駆動回路に用いられる安定回路が、リニアレギュレータであることを特徴とする。【００２６】  また本発明は、該ＬＥＤ駆動回路に用いられる一定電流制御回路が、電流検知抵抗の両端の電圧降下が一定になるように負荷抵抗によってスイッチの動作抵抗を変えることにより一定電流を出力する、スイッチング型一定電流制御回路であることを特徴とする。【００２７】  また本発明は、該ＬＥＤ駆動回路に用いられる一定電流制御回路が、電流検知抵抗の両端の電圧降下が一定になるようにフィードバック回路によって可変抵抗の動作抵抗を変えることにより一定電流を出力する、リニア型一定電流制御回路であることを特徴とする。【００２８】  また本発明は、該ＬＥＤ駆動回路に用いられる一定電流制御回路における抵抗値の制御が、トランジスタにより行われることを特徴とする。さらに、該ＬＥＤ駆動回路に用いられる一定電流制御回路に用いられるトランジスタは、ＦＥＴトランジスタ、バイポーラトランジスタ或いはＩＧＢＴの何れかであることを特徴とする。【００２９】  また本発明は、該ＬＥＤ駆動回路の複数の安定回路が、安定回路が並列に配置接続された部分及び安定回路が直列に配置接続された部分を含んで構成されることを特徴とする。
【発明の効果】
【００３０】  本発明に係る電源回路及びＬＥＤを用いた照明装置の駆動回路は、電位差及び／又は電圧差を有する多系統の電源を供給する電源回路或いはＬＥＤ駆動回路に於いて、かかる電源を低コストで供給することができ、コストダウンと回路の簡素化に寄与することが出来る。
【図面の簡単な説明】
【００３１】
【図１】図１は、本発明に係る電位差及び／又は電圧差を有する多系統の電源を供給する電源回路の機能を説明するための概念図である。
【図２】図２は、本発明の一実施例に係るＬＥＤを用いた照明装置の駆動回路の電源部分の回路図である。
【発明を実施するための形態】
【００３２】  以下、本発明に係る電源回路及びＬＥＤを用いた照明装置の駆動回路を、図面を用いて説明する。
【００３３】  図１は、本発明に係る電位差及び／又は電圧差を有する多系統の電源を供給する電源回路の機能を説明するための概念図である。
【００３４】  本発明は、電位差及び／又は電圧差を有する多系統の電源を供給する電源回路或いはＬＥＤ駆動回路に於いて、主電源の電源回路はスイッチングレギュレータ及びフィードバックによる安定化回路を含み、該スイッチングレギュレータ中に必要なインダクタンスはトランスで構成され、従電源は該トランスの二次側から取り出されるようにすることを特徴とする、電源回路である。
【００３５】  電位差及び／又は電圧差を有する多系統の電源を供給する電源回路に於いては、一般的には２系統の電源回路が必要となり、回路が煩雑になり必要なスペースが大きくなるとともに、部品点数が増大してコストアップに繋がることがあった。そこで本発明に於いては、図１に示すように１つの電源部から２つの異なる負荷に対して電源を供給するようにした。
【００３６】  ここで、例えば図１に示される負荷が同様の電位或いは電圧を必要とする場合には全く問題ないが、電位差及び／又は電圧差を有する負荷である場合には、少なくとも従電源がフローティング構成のアイソレーション電源とならなければならない。
【００３７】  本発明は、主電源の電源回路はスイッチングレギュレータ及びフィードバックによる安定化回路を含み、該スイッチングレギュレータ中に必要なインダクタンスはトランスで構成され、従電源は該トランスの二次側から取り出されるようにすることにより、簡便な構成で電位差及び／又は電圧差を有する多系統の電源を供給する電源回路或いはＬＥＤ駆動回路を実現した。［実施例１］
【００３８】  以下、本発明に係る電源回路及びＬＥＤを用いた照明装置の駆動回路の実施例として、ＬＥＤを用いた照明装置の駆動回路の電源部分の具体例を挙げて説明する。図２は、本発明の一実施例に係るＬＥＤを用いた照明装置の駆動回路の電源部分の回路図である。
【００３９】  図２は、本発明の一実施例に係るＬＥＤを用いた照明装置の駆動回路の電源部分の回路図である。主電源部２中のインダクタンス兼トランス１を介して従電源３に電源が供給される構成とした。具体的な回路は図２の通りである。
【００４０】  主電源の電源回路はスイッチングレギュレータ及びフィードバックによる安定化回路を含み、該スイッチングレギュレータ中に必要なインダクタンスはトランスで構成され、従電源は該トランスの二次側から取り出されるようにすることにより、簡便な構成で部品点数が少なく、スペース効率が良く、コストの削減されたＬＥＤを用いた照明装置の駆動回路が実現された。
【００４１】  本実施例に於いては、従電源がフローティング構成のアイソレーション電源となり、自由度の高い回路構成が実現された。また、主電源部は非絶縁構成であり、さらにコストダウンが図られている。
【００４２】  ここで本実施例に於いては、主電源部の電源回路はフィードバックによる安定化回路を含み、該従電源部に対しても安定化の効果を及ぼしており、かかる効果も有孝であった。
【００４３】  本実施例に於いては、主電源部の基準電位は０ボルトであり、該従電源部の基準電圧は４００ボルトである。かかる電位差があっても、本発明にかかる構成により十分に安定した多系統の電源を供給する電源回路が実現されている。
【００４４】  本実施例に於いては、かかる電源回路を用いてＬＥＤを用いた照明装置の駆動回路を構成した。
【００４５】  ＬＥＤを用いた照明装置の駆動回は、複数のＬＥＤ発光素子を駆動するＬＥＤ駆動回路であって、ＬＥＤ発光素子に供給する駆動電流を効率的に安定化させ、且つ使用するコンデンサ容量を抑えて信頼性とコストを両立するものであり、該ＬＥＤ駆動回路は複数の安定回路が並列に接続される構成を含み、該並列接続された部分を含む複数の安定回路からの出力を一定電流制御回路を介してＬＥＤ発光素子に供給するようにした。
【００４６】  本実施例に於いては、ＬＥＤ駆動回路に含まれる複数の安定回路がマトリクス状に配置接続されて構成されるようにした。ここで、該ＬＥＤ駆動回路に含まれる複数の安定回路によるマトリクスは、行列を構成する複数の安定回路が少なくとも複数行及び／又は複数列を含むようにした。
【００４７】  具体的には、本実施例に於いては複数の安定回路を並列に３つ接続（３行を形成）し、列は３列を備える構成とした。かかる構成により、個々の安定回路に必要な負荷が小さく抑えられ、使用するコンデンサ容量を抑えることが可能となって信頼性の向上とコスト低減を同時に実現することができた。
【００４８】  なお、複数の安定回路によるマトリクスは、行列ともに要素が増えるほどリップル除去やコンデンサ容量の低減に効果があるが、コストアップ要因ともなるから、これらを加味して良好な要素数を選択するのが良い。
【００４９】  ここで、複数の安定回路を用いて使用するコンデンサ容量を抑えて信頼性とコストを両立することは従前も行われているが、その構成は専ら複数の安定回路を直列に接続して負荷を低減するのみであった。本発明にかかる少なくとも複数の安定回路が並列に接続された構成を含むことにより、より効果的にリップルが除かれて安定した発光が得られ、且つ使用するコンデンサ容量を抑えて信頼性とコストを両立することが可能となった。
【００５０】  本発明に於いては、簡便な構成で安定した発光が得られ、部品点数の削減が可能であり低コストで製造可能であり且つ長期信頼性が向上するとともに、低消費電力を実現するＬＥＤを用いた照明装置の駆動回路を提供することができた。
【００５１】  また本発明は、同時に部品点数を減少させることにより基板サイズを小型化でき、照明装置全体ををコンパクトにすることが出来るとともに、高性能化することより簡素な部品が使用でき製品原価を下げコストダウンに寄与するＬＥＤを用いた照明装置の駆動回路を提供することができた。
【００５２】  さらに本発明は、長期にわたる連続使用中に一部の回路が停止しても、機能運転を継続することが出来るため、長期間に亘って信頼性の向上に寄与するＬＥＤを用いた照明装置の駆動回路を提供することができた。
【００５３】  本実施例に於いては、該ＬＥＤ駆動回路に用いられる安定回路として、スイッチングレギュレータを用い、その制御方式は電圧モードであってその動作方式はパルス周波数変調方式とした。ここで、該ＬＥＤ駆動回路に用いられる安定回路としてスイッチングレギュレータを用いる場合、その制御方式は電圧モード、電流モード或いはヒステリシス制御の何れかが好適に用いられ、またその動作方式はパルス周波数変調方式或いはパルス幅変調方式の何れかが好適に用いられる。さらに、スイッチングレギュレータとしてはチョッパ型安定器を含むものでもよい。
【００５４】  また本実施例に於いては、該ＬＥＤ駆動回路に用いられる一定電流制御回路として、電流検知抵抗の両端の電圧降下が一定になるように負荷抵抗によってスイッチの動作抵抗を変えることにより一定電流を出力する、スイッチング型一定電流制御回路を用いた。ここで、該ＬＥＤ駆動回路に用いられる一定電流制御回路としては、電流検知抵抗の両端の電圧降下が一定になるようにフィードバック回路によって可変抵抗の動作抵抗を変えることにより一定電流を出力する、リニア型一定電流制御回路も好適に用いられる。
【００５５】  また、該ＬＥＤ駆動回路に用いられる一定電流制御回路における抵抗値の制御は、トランジスタにより行われることが有効であり、さらに、該ＬＥＤ駆動回路に用いられる一定電流制御回路に用いられるトランジスタは、ＦＥＴトランジスタ、バイポーラトランジスタ或いはＩＧＢＴの何れかを用いると良い。
【００５６】  かかる構成により、本発明にかかるＬＥＤを用いた照明装置及びＬＥＤを用いた照明装置の駆動回路は、ＬＥＤ発光素子に供給する駆動電流を効率的に安定化させ、且つ使用するコンデンサ容量を抑えて信頼性とコストを両立するのもであって、並列接続された部分を含む複数の安定回路からの出力を一定電流制御回路を介してＬＥＤ発光素子に供給することにより、リップルが除かれて安定した発光が得られ、且つ使用するコンデンサ容量を抑えて信頼性とコストを両立することができるＬＥＤを用いた照明装置の駆動回路を提供することが出来た。
【００５７】  他の実施例に於いては、該ＬＥＤ駆動回路に用いられる安定回路として、リニアレギュレータを用いた。また、該ＬＥＤ駆動回路に用いられる一定電流制御回路における抵抗値の制御は、ＦＥＴトランジスタを用いた。
【００５８】  かかる実施例に於いては複数の安定回路を並列に２つ接続（２行を形成）し、列は１列とした構成とした。かかる構成により、個々の安定回路に必要な負荷が小さく抑えられ、使用するコンデンサ容量を抑えることが可能となって信頼性の向上とコスト低減を同時に実現することができた。
【００５９】  以上述べてきたように、本発明に係る電源回路及びＬＥＤを用いた照明装置の駆動回路は、電位差及び／又は電圧差を有する多系統の電源を供給する電源回路或いはＬＥＤ駆動回路に於いて、かかる電源を低コストで供給することができ、コストダウンと回路の簡素化に寄与することが出来た。
【産業上の利用可能性】
【００６０】  本発明に係る電位差及び／又は電圧差を有する多系統の電源を供給する電源回路或いはＬＥＤ駆動回路は、主電源の電源回路はスイッチングレギュレータ及びフィードバックによる安定化回路を含み、該スイッチングレギュレータ中に必要なインダクタンスはトランスで構成され、従電源は該ランスの二次側から取り出されるようにすることにより、かかる電源を低コストで供給することが出来、以って産業上の利用可能性は大であるといえる。
【符号の説明】
【００６１】１  インダクタンス兼トランス
２  主電源部
３  従電源部
【図１】
2018042444.tif 000004
【図２】
2018042444.tif 000005